Podtech/llm-jp-corpus-v4-ja_patent huggingface dataset:
(57)【要約】      （修正有）【課題】膨大な経費と広大な敷地を要する陸上の津波の被害を防ぐ津波防波堤と併せて、津波の破壊力を陸に到達以前に減衰させる津波防波堤を提供する。【解決手段】テトラポットを海中に投じ、沖に向かって若干湾曲したロックフィルドダムの堰堤に準じた防波堤１を数段構築する。堤防の水面上の高さは津波の大きさ地形等を考慮し波の高さを防ぐ有効高とする。数段の防波堤の水面に接した部位に船舶の航路となる開口部１−１等を各防波堤毎に千鳥に設置し沖からの津波の直進を防ぐ。【選択図】図１
2013194501.tif 000002
【特許請求の範囲】
【請求項１】
海岸線に沿い平行して距離を置き海底から築き揚げた津波防波堤
【発明の詳細な説明】
【技術分野】
【０００１】本発明は海中に構築する津波防波堤に関する
【技術背景】
【０００２】従来の津波防波堤（以下防波堤と呼称）は、海岸線に沿って延々と陸上に構築され、巨大な津波の脅威から逃れんとしていた、然し防波堤を越えた波頭は多くのものを破壊し浮かぶ瓦礫は巨大な津波の力で大きなハンマーと為って陸上の構造物を破壊し次々と起きる連鎖反応に依って破壊力は益々増大して被害は甚大なものとなった
【発明の開示】
【発明が解決しようとする課題】
【０００３】然しながら陸上に設置された防波堤の多くは五〜六メートル、高くて八メートル程度の高さで、海岸線に沿い数十キロの距離の膨大な建造物となり巨費と広大な敷地を要した防波堤も想定外の東日本の震災には脆くも其の力を失った、其の巨大な破壊力を地上に上げる前に海上に於いて削減したら被害は当然の事ながら大きく縮小される、そこで
【課題を解決するための手段】
【０００４】１，海中に防波堤を作る、テトラポットを海中に投じ沖に向かって若干湾曲したロックフィルドダムの堰堤に準じた防波堤１を数段構築する、巨大な防波堤に比してテトラポットは小さな個体だけど、絡み合って積み上げられた其の威力は暴れる大小の河川の洪水に於いて良く堤防の護岸の任に堪え多くの人命を、資産を守ってきた事は周知の事実であり論を待たない、小型のクレーンで移動、積み替え等が容易なテトラポットは即ち防波堤の補修改良等に優れ、施工も容易である、海底部には数個の暗渠３を設け海底に於いて陸側と沖側の間の海水の容易な流通を計る、堤防の水面上の高さは津波の大きさ地形等を考慮し波の高さを防ぐ有効高とする
２，１に準じて海岸線に平行に二段階三段階等と防波堤を構築し数段の防波堤の水面に接した部位に船舶の航路となる開口部１−１等を設ける、各防波堤の船舶航路は各防波堤毎に千鳥に設置し沖からの津波の直進を防ぐ
【発明の効果】
【０００５】３，津波の前兆として海水は海岸線から遠く沖え引く、結果として防波堤と防波堤の間の▲１▼、▲２▼等には大きな空間、即ち大きな貯水池が生じる、沖に引いた潮は大きな津波となり押し寄せて来た怒濤の勢いはコンクリートの壁を登るのと違いテトラポットの荒い壁で削がれ其の破壊力は、車や単車のエンジンの大きな排気音がマフラーの中途の太い円筒缶で解放解消されるのと同じく、防波堤を越えて海水の激減した貯水池に落ちた怒濤の力は激減さる、順次防波堤を越す毎に大きく削られ岸に到達した津波は潮の満ち干に似た破壊力の無い高潮の姿となる。
４，副産物として海中に築かれたテトラポットの防波堤は格好の魚礁となる。
【図面の簡単な説明】
【０００６】
【図１】防波堤位置図
【図２】防波堤側面図
【図３】防波堤断面図
【符号の説明】１  防波堤                    １−１  船舶航路
▲１▼，▲２▼  貯水池        ３  暗渠        ４  水面
Ｌ  （Ｌａｎｄ）陸            Ｏ  （Ｏｃｅａｎ）海
【図１】
2013194501.tif 000003
【図２】
2013194501.tif 000004
【図３】
2013194501.tif 000005
(57)【要約】      （修正有）【課題】着脱可能なヘルメット用サングラスを提供する。【解決手段】サングラス２に穴３を開け、吸盤４を取り付け、ヘルメットのシールド１に着脱可能にした。【選択図】図１
2013194351.tif 000002
【特許請求の範囲】
【請求項１】
ヘルメットのシールドにサングラスを吸盤磁石フック等の止め具で、着脱可能としたヘルメット用サングラス。
【発明の詳細な説明】
【発明の詳細な説明】
【技術分野】
【０００１】    本発明は、ヘルメットのシールドにサングラスを着脱可能にした、ヘルメット用サングラスに関するものである。
【背景技術】
【０００２】  従来、ヘルメットのシールドは色付きのものはあったが、にっちゅう明るい所ではいいが、夜間特に雨の日などは、前が見えにくくシールドを開けると雨が目に入ってきて、晴れた日でも山間部では虫がたくさん目に飛び込んできて大変危険であり、又、ヘルメットをかぶったり脱いだりする際にサングラスを外してからでないとヘルメットの着脱ができなく、大変わずらわしかった。
【発明を実施するための形態】
【０００３】    本発明はヘルメットのシールドにサングラスを吸盤、磁石、フック等の止め具で、着脱可能にしたヘルメット用サングラスで、それを図面について説明すれば、ヘルメットのシールド１にサングラス２に穴３を開けて、そこに吸盤４を取り付けて、シールドに着脱可能にしたものである。
【発明の効果】
【０００４】    このようにすれば雨の日や夜間などの前の見えにくい時でもサングラスをシールドから取り外し、無色透明なシールドにすることが出来るので、大変安全で便利である。
【図面の簡単な説明】
【図１】    本発明の斜視図である。
【符号の説明】１    ヘルメットのシールド
２    サングラス
３    穴
４    吸盤
【図１】
2013194351.tif 000003
(57)【要約】【課題】本発明は、紫外線のカット、つまり、人体に有害なメラニン色素を体内に入ることを遮断する。【解決手段】シャツの首廻りに、頭にかけられるようにゴムひもを設定することにより、より機能的にＵＶカットができる製品である。【選択図】図１
2013194353.tif 000002
【特許請求の範囲】
【請求項１】
シャツの首廻りの２箇所にゴムひもを縫いつけ、上端部分に止め金を設け、ゴムひもの長さを調整できる仕組み
【発明の詳細な説明】
【技術分野】
【０００１】ＵＶカットシャツを顔まで覆うために、ひもを頭にかけられる機能的なものである。
【背景技術】
【０００２】頭にかけることで、日焼け止めの効果が大きい。
【発明が解決しようとする課題】
【０００３】頭にひもをかけることで、ずれおちないことである。
【課題を解決するための手段】
【０００４】ずれおちないことを防ぐために、首廻りの先端にひもを設置
【発明の効果】
【０００５】顔を含めて上半身のＵＶカットが可能になる。
【図面の簡単な説明】
【０００６】
【図１】上半身のＵＶカットをするために、頭にひもをかけられるように工夫したシャツ全体の図である
【発明を実施するための形態】
【０００７】シャツを顔の半分まで覆い、そして頭の先端にひもをかけることにより、シャツがずれおちない
【実施例】
【０００８】１は伸縮ができるゴムの素材で体形に合わせて楽に運用でき、又、ゴムひもの上端部に２の止め金で調節できるので、より機能的に利用できる。
【産業上の利用可能性】
【０００９】紫外線のカットにより、人体に有害であるメラニンの浸透を阻止できる。
【符号の説明】
【００１０】１：ゴムひも
２：止め金
【図１】
2013194353.tif 000003
(57)【要約】      （修正有）【課題】他人の家に靴を脱いで上がるときに，自分の足裏の汗や臭いの事で人に迷惑にならないように工夫した足カバーを提供する。【解決手段】足カバーの，一番下にポリオレフィン不織布１を設け，その上に水分の吸収のいい軟らかく若干厚手の紙２を密着させ，つま先３とかかと４と足の左右を囲む５をポリオレフィン不織布でそれぞれ構成し且つ，３，４，５の上部に足カバーが脱げないように超細いゴムテープ７を一周とりつけてギャザーをよせ，足の裏に接する吸水紙には消臭剤，除菌剤を吸着させた。ナイロン製止着剤を施した摘み６を設け，使用後カバー底表面に貼り付けて固定できるようにして持ち帰り，ゴミとして処分して悪臭やばい菌で他人に迷惑をかけない汗取り，消臭，除菌が全て出来ることを特徴とする。【選択図】図１
2013194337.tif 000002
【特許請求の範囲】
【請求項１】
足カバーの，一番下にポリオレフィン不織布（１）を設け，その上に消臭除菌剤を吸着させた吸水紙（２）を密着させ，つま先（３）と，かかと（４）を左右側面のポリオレフィン不織布（５）で連結し，（２）（５）を固定し且つ，（３）（４）（５）の上部に足カバーが脱げないように超細いゴム紐でギャザー（７）を一周つけることにし，踵（４）上部に内部にナイロン製止着剤を設けた摘み（６）を設けた，汗取り，消臭，除菌が出来る携帯用使い捨て足カバー。
【請求項２】
内部にナイロン製止着剤を設けた摘み（４）は、ナイロン製止着剤に代えて粘着性テープを使用することを特徴とする、請求項１に記載の汗取り，消臭，除菌が出来る携帯用使い捨て足カバー。
【発明の詳細な説明】
【技術分野】
【０００１】
他人の家に靴を脱いで上がるときに，自分の足裏の汗や臭いの事で人に迷惑にならないように工夫した足カバーに関する。
【背景技術】
【０００２】
従来の足カバーは，ただ暖房目的又は，足を保護することと綺麗に見せるだけのものであり，特許文献１・特許文献２・特許文献３にも提案されているものもあるが使用方法が全く異なっている。
【先行技術文献】
【特許文献】
【０００３】
【特許文献１】特開２００５−２８７６８２
【特許文献２】特開２００２−０５８７０１
【特許文献３】実開平０６−０００１０７
【発明の概要】
【発明が解決しようとする課題】
【０００４】
従来，他人の家に靴を脱いで上がるときは，足の裏などに汗をかき，フローリング上に足跡を残したり、靴下を通してきつい臭いで周りの人に不快な思いをかけて来た。
又，迷惑をかけている本人も気遣いをし，気まずい思いがあるのでこの課題は解決しなければならない問題である。
【課題を解決するための手段】
【０００５】
課題を解決するために以下の構造とした。
足カバーを紙で製作するにあたり，ポリオレフィン不織布（１）の上に除菌・消臭剤を吸着させた吸水紙（２）を密着させ，更につま先（３）とかかと（４）とそれをつなぐ側面（５）をポリオレフィン不織布で設け，（３）（４）（５）の上部に足カバーが脱げないように超細いゴム紐を取り付けてギャザー（７）を設けることとした。更にカバーが履きやすいように踵（４）に内部にナイロン製止着剤を設けた摘（６）を取り付けた。使用後は図３のように摘み（６）を開き内部のナイロン製止着剤を足カバー表面のポリオレフィン不織布に貼り付けて，小さくたたみ手提げなどに入れて持ち帰り，使い捨てゴミとして処分するようにして他人に悪臭などで迷惑がかからない構造と使用方法にした。
【発明の効果】
【０００６】
本発明は，下記の効果を有する。
１．普通の足カバーのように摘みを付けているので簡単に履ける。
２．使い捨てのため，足カバーの吸水紙に汗が浸透してから捨てるため清潔である。
３．吸水紙（２）に消臭剤を吸着してあるため，足の臭いがなく，更に使い捨てとして処分するため人に迷惑をかけなくて済む。
４．吸水紙に除菌剤を吸着させているので清潔である。                
５．踵の上部に内部にナイロン製止着剤を設けた摘み（６）を取り付けたので使用後は小さく折りたたみ、摘み内部を開き底部表面のポリオレフィン不織布に貼りつけて持ち帰り、ごみとして処分できる。
【図面の簡単な説明】
【０００７】
【図１】足カバー側面図
【図２】本発明の斜視図
【図３】本発明の折りたたみ図
【図４】本発明の使用斜視図
【発明を実施するための形態】
【０００８】
本発明の実施形態について説明する。
従来，女性はストッキング又は，靴下を履いて尚且つ暖房のために足カバーを着用しているが，本発明は表面をポリオレフィン不織布（１）の上に消臭除菌剤を吸着させた吸水紙（２）を密着させ，更にその上部に，つま先（３）かかと（４）と左右側面（５）にポリオレフィン不織布で囲って連結した足カバーであり，更に足カバーがスムーズに履けるように内部にナイロン製止着材を配した摘み（６）を設け，更に足カバーが外れないように（３）（４）（５）の上部に超細いゴムテープでギャザーを設けた。使用後は図３のように小さくたたみ、摘みを開き内部のナイロン製止着剤を小さくたたんだ足カバーの表面に貼り付け，手提げなどに入れて持ち帰り，ゴミとして処分するようにして，他人に悪臭などで迷惑をかけないようにした。
【符号の説明】
【０００９】
（１）ポリオレフィン製不織布
（２）除菌消臭剤を吸着させた吸水紙  
（３）つま先部のポリオレフィン不織布
（４）かかとのポリオレフィン不織布
（５）左右側面のポリオレフィン不織布
（６）内部にナイロン製止着剤を設けた摘み
（７）超細いゴムテ紐を使ったギャザー  
【図１】
2013194337.tif 000003
【図２】
2013194337.tif 000004
【図３】
2013194337.tif 000005
【図４】
2013194337.tif 000006
(57)【要約】      （修正有）【課題】従来、回転する力に大きな負荷がかかった場合、回転する力を強くさせる装置としては、ギア等を用いて互いの回転数の差を変化させる方法（変速機）がとられていた。しかし、この方法によって出力回転の力を強化させるとその強化比率に反比例して、出力回転速度が遅くなるという欠点が生じていた。そのため、回転速度を維持するためには、その分原動力の馬力アップが必要となっていた。【解決手段】回転の負荷（抵抗）に応じて、回転する力を増幅できれば、原動力の馬力アップもせずに、回転速度を維持することができる。そのために角度６０度で６辺同じの正６角形の回転軸１の外側を、回転軸より３０度ずらし、回転軸の底辺を延長させ交わった点で結ばれる角度６０度で６辺同じの正６角形の内受２と内受の底辺を延長させ交わった点で結ばれる円の外受３で包囲した構造で回転の力を抵抗に変える装置として発明した回転動力増幅装置である。【選択図】図１
2013194912.tif 000002
【特許請求の範囲】
【請求項１】
角度６０度で６辺同じの正６角形の回転軸（１）の外側を、回転軸より角度を３０度ずらし、回転軸の正６角形の底辺を延長させ交わった点で結ばれる、角度６０度で６辺同じの正６角形の内受（２）で囲み、その外側を（２）の正６角形の底辺を延長させ交わった点で結ばれる円の外受（３）で包囲した構造の回転動力増幅装置。
【発明の詳細な説明】
【技術分野】
【０００１】  この発明は、回転の抵抗（負荷）を力に変換し、動力を増幅するためのものであり、角度６０度で６辺同じの正６角形の回転軸（１）の外側を、回転軸より角度を３０度ずらし、回転軸の正６角形の底辺を延長させ交わった点で結ばれる角度６０度で６辺同じの正６角形の内受（２）で囲み、その外側を内受（２）の底辺を延長させ交わった点で結ばれる円の外受（３）で包囲した構造の回転動力増幅装置に関する。【０００２】  従来、回転する力に大きな負荷がかかった場合、回転する力を強くさせる装置としては、ギア等を用いて互いの回転数の差を変化させる方法（変速機）が取られていた。しかし、この方法によって出力回転の力を強化させると、その強化比率に反比例して、出力回転速度が遅くなるという欠点が生じていた。
【発明の開示】
【発明が解決しようとする課題】
【０００３】  変速機で回転する力を強くさせると、その増加比率に反比例して、回転速度が遅くなることから、力を強化してなお回転速度も維持するためには原動力の馬力アップが必要であった。しかし、回転の負荷（抵抗）に応じて、回転する力を増幅できれば、原動力の馬力アップもせずに、同じ回転速度を維持することができる。そのために回転の抵抗を力に変える装置として、本発明はなされた。
【課題を解決するための手段】
【０００４】  角度６０度で６辺同じの正６角形の回転軸（１）の外側を、回転軸より角度を３０度ずらし、回転軸の底辺を延長させ交わった点で結ばれる角度６０度で６辺同じの正６角形の内受（２）と内受の底辺を延長させ交わった点で結ばれる円の外受（３）で包囲した構造の回転動力増幅装置である。
【発明の効果】
【０００５】  回転軸への負荷（抵抗）に応じて回転の力が増幅されるので、原動力が少なくてすむ。
【発明を実施するための最良の形態】
【０００６】  角度６０度で６辺同じの正６角形の回転軸（１）の外側を、回転軸より角度を３０度ずらし、回転軸の底辺を延長させ交わった点で結ばれる角度６０度で６辺同じの正６角形の内受（２）と、内受の底辺を延長させ交わった点で結ばれる円の外受（３）で包囲した構造である。【０００７】  回転と力と抵抗は別である。この装置は、自らは回転しないし、加速もしない。外部動力装置から回転軸（１）へ回転運動を受けることにより、抵抗を力に変え、力のみを増幅（発生）させるものである。【０００８】  回転軸（１）が、回転方向（右、左）へ前進する。このことにより回転軸（１）の外輪と内受（２）の内輪は、距離が反対になろうとする作用が起きる。抵抗を受けた内受（２）は、外に逃げる力を外受（３）で回転軸（１）のほうへ増幅させ、回転の力となる。軸が回って軸に力がくる。【０００９】  回転することにより、回転軸（１）の外輪と内受（２）の内輪のあたる位置がかわり６つの辺と角度の芯が立ったり緩んだりして、力が生じたり消えたりしながら、回転軸（１）の上を力が走る状態となり、無限に近い力が回転方向に起きる。【００１０】  この回転動力増幅装置を様々な回転軸に連動させると、回転動力が増幅されて原動力の供給を軽減できる。
【産業上の利用可能性】
【００１１】  現在使用されている様々な回転動力の補助装置として、あらゆるものに利用できる。
【図面の簡単な説明】
【００１２】
【図１】  本発明の正面断面図である。
【図２】  本発明の側面断面図である。
【符号の説明】  １，角度６０度で６辺同じの正６角形の回転軸
２，回転軸より角度を３０度ずらし、回転軸の底辺を延長させ交わった点で結ばれる角度６０度で６辺同じの正６角形の内受
３，内受の底辺を延長させ交わった点で結ばれる円の外受
【図１】
2013194912.tif 000003
【図２】
2013194912.tif 000004
(57)【要約】      （修正有）【課題】ガスコンバインドサイクル発電において、効率的な発電ができる改良送管を提供する。【解決手段】貯蔵タンクにためたＬＮＧを、ステンレス管ではなく、ポリエチレン管に置き換え、さらに、保温材で覆い、アルミ管で腐食を防ぎ、発電を行う際、水蒸気等で加熱し、温度管理を行うことにより、効率的発電を可能にする。【選択図】なし【特許請求の範囲】
【発明の詳細な説明】
【技術分野】
【０００１】現在、ＬＮＧによる発電の送管はステンレス管でなされている。
【発明が解決しようとする課題】
〔これでは（ステンレス管）では、外気の変化、ＬＮＧの特質にそぐわな〕
〔なく非効率で、凍結したりしてしまう可能性がある〕
【課題を解決するための手段】
凍結を防ぐにはポリエチレン管（ＰＥ管を用い）その外部にグラスール、保冷、保温材で覆う、またそれにより地震やガスもれを防ぐ事が可能になる。
発電施設では送管の強度が必要なのでアルミでグラスールの外部を包む、これにより外気にあまり左右される事なくガスを送れる
【非効率を解決するための手段】
ポリエチレン管から送り出されるＬＮＧは冷温である為ポリエチレン管がタービン（発電施設）に近くに接する必要はない断手でステンレス管に素材を替え
発電によって出される水蒸気などでステンレス管とＬＮＧの温度を管理する事により効率的な発電が可能となる
【手続補正書】
【提出日】平成24年9月26日(2012.9.26)
【手続補正２】
【補正対象書類名】特許請求の範囲
【補正対象項目名】全文
【補正方法】変更
【補正の内容】
【特許請求の範囲】
【請求項１】
2013194914.tif 000002
(57)【要約】      （修正有）【課題】自動車が接近している場合でも、自車のボンネットが邪魔にならず、後方の運転者に後部ウインカーの確認できるようにした補助ウィンカーを提供する。【解決手段】補助ウインカー２をリアーウイング１あるいはハイマウントストップランプ４横に設ける。【選択図】図２
2013141976.tif 000002
【特許請求の範囲】
【請求項１】
補助ウインカーを設けたことを特徴とするリアーウイング。
【請求項２】
ハイマウントストップランプと並列に設置されたものであることを特徴とする請求事項の補助ウインカー。
【発明の詳細な説明】
【技術分野】
【０００１】  本発明は、自動車の後部ウインカー位置に関するもの。
【背景技術】
【０００２】  従来のウインカーは、自動車の後部後方で中段位置あるいは下段位置に設けられ、それを後方の運転者が確認するものである。
【発明の概要】
【発明が解決しようとする課題】
【０００３】  しかしながら、以上の技術によれば、自動車が接近している場合は、自車のボンネットが邪魔になり、後方の運転者には確認しがたいものがある。
そこで、この発明は、後部ウインカーの確実性の向上を提供することを課題とする。
【課題を解決するための手段】
【０００５】  以上の課題を解決するために、第一発明は、リアーウイングあるいはハイマウントストップランプ側面に補助ウインカーを設けたことにより確実性の向上を目的とするものである。
【発明の効果】
【０００６】  本発明の補助ウインカーは、自動車の高い位置にあるため、前方の自動車の進行方向がより明確に確認できる利点がある。
【図面の簡単な説明】
【０００７】
【図１】図１は補助ウインカーの実施方法を示した斜視図である。
【図２】図２は補助ウインカーの実施方法を示した後方側面図である。
【発明を実施するための形態】
【０００８】  この発明の一実施形態を、図１に示す。
リアーウイング本体１の側面には、補助ウインカー２が一体的に設けられている。
【実施例】
【０００９】  図１の実施形態は、リアーウイングに付随しているものであったが、他の実施形態では、ハイマウントストップランプ横でも良い。
【符号の説明】
【００１０】１  リアーウイング  ２  補助ウインカー  ３  車体  ４  ハイマウントストップランプ
【図１】
2013141976.tif 000003
【図２】
2013141976.tif 000004
(57)【要約】【課題】従来品の日よけシートは車のフロントガラスの内側に吸盤で取り付けるものが多いが時間が経つと吸盤力が弱まり、剥がれていることもある。運転席から助手席側の吸盤を手で押す場合は、距離があり余分な力を加えなければならない。霜よけシートにおいては車のフロントガラスを覆うものが多いが、紐で留めるなどの手間があった。  本発明は、各シートにおける手間を解消することを目的とする。【解決手段】磁器製の筒に専用のシートを巻きつけたものを、マグネットの土台に設ける。土台と筒の間に一枚のプラスチック板を設け、使用時にシートがフロントガラスと接着する仕組みである。シートの先端にはマグネットが設けてあり、車体に容易に取り付けることができる。以上の構成よりなる日よけ兼霜よけシートである。【選択図】図１
2013141975.tif 000002
【特許請求の範囲】
【請求項１】
磁器製の筒にマグネット付きの専用のシートを巻きつけたものを、マグネットの土台に支柱を通じて設け、土台の手前にプラスチック板を設置した日よけ兼霜よけシート。
【発明の詳細な説明】
【技術分野】
【０００１】    本発明は、車用の日よけ兼霜よけシートに関するものである。
【背景技術】
【０００２】    従来、車において強い日差しをカットするためには車内のフロントガラスに吸盤付きのシートを取り付けていた。冬場のフロントガラスに着く霜から保護をするにはシートで車を覆っていることが一般的である。
【先行技術文献】
【特許文献】
【０００３】
【特許文献１】特許公開２００６−３６１６０公報
【特許文献２】特許公開２００１−２５３２４７公報
【発明の概要】
【発明が解決しようとする課題】
【０００４】    従来からある日よけシートは車のフロントガラスの内側に吸盤で取り付けるものが多いが時間が経つと吸盤力が弱まり、剥がれていることもある。運転席から助手席側の吸盤を手で押す場合は、距離があり余分な力を加えなければならない。霜よけシートにおいては車のフロントガラスを覆うものが多いが、紐で留めるなどの手間があった。
本発明は、以上の問題点を解決するためになされたものである。
【課題を解決するための手段】
【０００５】    磁器製の筒に専用のシートを巻きつけたものを、マグネットの土台に設ける。土台と筒の間に一枚のプラスチック板を設け、使用時にシートがフロントガラスと接着する仕組みである。シートの先端にはマグネットが設けてあり、車体に容易に取り付けることができる。
以上の構成よりなる日よけ兼霜よけシート。
【発明の効果】
【０００６】    従来の日よけシートと霜よけシートにおける不便さを解消し、容易に設置および収納することができる。
【図面の簡単な説明】
【０００７】
【図１】本発明の斜視図
【図２】本発明の使用状態を示す斜視図
【発明を実施するための形態】
【０００８】  以下、本発明の実施の形態を説明する。
（イ）磁器製の筒（１）を中心にシート（７）を巻きつけたものを、筒の上下にある筒おさえ（２）にて固定する。
（ロ）支柱（４）を磁器製の筒（１）の中に通し、筒おさえの中央とプラスチック板（３）を貫通させそれぞれの支柱受け（５）に接地させる。各支柱受け（５）にはマグネット台（６）を設ける。
本発明は以上のような構造である。
本発明を使用するときは、シート（７）を引き出し、プラスチック板（３）の下をくぐらせ、マグネット台（６）をフロントガラス側の車体に設置する。設置後にフロントガラスを覆うようにシート（７）を引き出し、シート（７）の先端に取り付けられているマグネット（８）で設置側と反対側のフロントガラス側の車体にシート（７）をとめる。
シート（７）に取り付けてあるマグネット（８）により強風などからシート（７）を守るほか、本発明の使用後は磁器製の筒（１）とマグネット（８）がくっつき紐などが不要のため収納にも優れている。
【符号の説明】１  磁器製の筒、２  筒おさえ、３  プラスチック板、４  支柱、５  支柱受け、
６  マグネット台、７  シート、８  マグネット
【図１】
2013141975.tif 000003
【図２】
2013141975.tif 000004
(57)【要約】【課題】従来の市販品の杖スタンドは照明付きは無く、又立てかける場合両手で開いて台に載せたり、歩行時に杖支柱に当たりカタカタと鳴り煩かった。【解決手段】ＬＥＤ電池内蔵スタンドとクリップが一体の為歩行時の音が出ないし立て掛け時台にスタンドを載せて杖を下げるだけで片手で立て掛けられるし、交通安全及び隙間の物探しも出来る。【選択図】図１
2013141593.tif 000002
【特許請求の範囲】
【請求項１】
ＬＥＤ電池内蔵スタンド取り外し自在のクリップ一体型杖スタンド底にすべり止めシートを設けたＬＥＤ付杖スタンド。
【発明の詳細な説明】
【技術分野】
【０００１】  本発明は、交通安全及び杖スタンドに関するものである。
【背景技術】
【０００２】  従来、市販品の杖スタンドにはバネを利用して杖に固定するものはあったが、台に載せる場合は両手で引き上げて台にセットしなければならないし、歩行時に杖に当たってカタカタと鳴る欠点があった。
【先行技術文献】
【０００３】
【特許文献１】
【０００４】
【非特許文献１】  転ばぬ先きの杖Ｎ  株式会社ユア
【発明の概要】
【発明が解決しようとする課題】
【０００５】  これには、次のような欠点があった。
従来の杖スタンドは台に立て掛ける場合は、杖とスタンドを両手で持って引き上げて台に載せなければならない欠点があった。
本発明は、この欠点を解決する為になされたものである。
【課題を解決するための手段】
【０００６】  スタンドとクリップは一体型でスタンドの内部はＬＥＤが内臓されている。電球はイルミネーション球も良い。スタンド下部には滑り止めシートを貼り付けている。
本発明は、以上の構成よりなるＬＥＤ付き杖スタンドである。
【発明の効果】
【０００７】  上述したように、本発明は、杖にクリップで杖スタンドを取り付け、取り外しが出来る。ＬＥＤ付きの為、障害者の夜間歩行の補助、隙間の物探し、イルミネーション電球の点滅の為取り外して健常者の夜間マラソン練習時は、帽子や衣服に挟んで交通安全にも役立つ効果がある。
以上の構造のため、立て掛ける場合は片手で台に置く事が出来るＬＥＤ付き杖スタンドを提供できる。
【図面の簡単な説明】
【０００８】
【図１】  本発明の左側面図である。
【図２】  本発明の平面図である。
【発明を実施するための形態】
【０００９】  以下、本発明の実施例について説明する。
（イ）      クリップ（７）と一体型スタンドを設ける。
（ロ）      スタンド内部にＬＥＤ（３）を内蔵する。
（ハ）      スタンド底には滑り止めシート（５）を貼り付ける。
本発明は、以上の構成からなるＬＥＤ付き杖スタンドである。
これを使用するときは、クリップ（７）で杖の上部に挟みつける。
台に立て掛ける場合は、台にスタンドを載せて簡単に片手でできる。
電池内蔵スタンド（１）底に滑り止めシート（５）で滑り止めになる。
夜間歩行時は交通安全の為点滅球で杖、帽子、衣服に取り付けて使用する。
隙間の物探す場合は、杖の下方に下ろして使用する。
【符号の説明】
【００１０】１  ＬＥＤ電池入りスタンド
２  透明レンズ
３  ＬＥＤ電球
４  スイッチ
５  滑り止めシート
６  挟み部
７  クリップ
８  クリップ支柱
９  バネ
【図１】
2013141593.tif 000003
【図２】
2013141593.tif 000004
(57)【要約】【課題】従来、室内にて一時的に服を脱いだ際、その服はハンガーに掛けるか、たたんで置いておく、若しくは収納していた。しかしハンガーに掛けるのは手間が掛かる上、複数ある場合は掛ける場所も多く取られてしまう。また、たたむのも同様に手間が掛かるうえ、たたみしわが付いてしまう。本発明は以上のような欠点をなくす服置きを提供する。【解決手段】滑らかな湾曲した面を上方向に備えている。以上の構成を特徴とする服置き。【選択図】図２
2013141596.tif 000002
【特許請求の範囲】
【請求項１】
上部面が滑らかな湾曲した面である服置き。
【発明の詳細な説明】
【技術分野】
【０００１】この発明は、室内にて一時的に衣服を脱ぐ際にたたんだり掛けたりすることなく、まとめて置いておくことが出来る服置きに関するものである。
【背景技術】
【０００２】従来、室内にて一時的に服を脱いだ際、その服はハンガーに掛けるか、たたんで置いておく、若しくは収納していた。
【先行技術文献】
【０００３】
【発明の概要】
【発明が解決しようとする課題】
【０００４】従来、室内にて一時的に服を脱いだ際、その服はハンガーに掛けるか、たたんで置いておく、若しくは収納していた。しかしハンガーに掛けるのは手間が掛かる上、複数ある場合は掛ける場所も多く取られてしまう。また、たたむのも同様に手間が掛かるうえ、たたみしわが付いてしまう。本発明は以上のような欠点をなくすためになされたものである。
【課題を解決するための手段】
【０００５】滑らかな湾曲した面を上方向に備えている。
以上の構成による服置き。
【発明の効果】
【０００６】滑らかな湾曲した面に脱いだ服を置く。ハンガー等に掛ける場合と比べては皺になり易いが、たたんで収納する場合、若しくは床等の平面に置く場合ほどは皺になりにくく、場所も取られない。一時的に置いておく際には手間が掛からず、場所も取られない。再度着用する際も楽に取ることが出来る。
【図面の簡単な説明】
【０００７】
【図１】本発明の斜視図である。
【図２】本発明の使用状態を示す斜視図である。
【発明を実施するための形態】
【０００８】フレーム（１）に滑らかに湾曲した面（２）を上部面に設ける。
本発明は以上のような構造である。
本発明を使用するときは、床に置く、若しくは壁等に設置して使用する。
【符号の説明】
【０００９】１  フレーム
２  湾曲した面
３  服
【図１】
2013141596.tif 000003
【図２】
2013141596.tif 000004
(57)【要約】【課題】手提げ袋のポケットが不足した時、袋の中が混在し必要な品が即取り出せない。幅広用紙類は丸めたり折ったりすると広げた時は折りしわが出来、紙の扱いが難しいという不都合を解決する。【解決手段】表裏２枚重ねの帯状で斜形素材に好みに応じ縫い目を入れポケット部の増減が出来る。最細部Ｅから折り畳んだポケット部は袋本体のＡとＢ内に収納し折り畳み手提げ袋と成す。又、幅広用紙類はポケット集合体に添わせて巻き込むと折りしわ等が出来ずこの課題を解決する。【選択図】図２
2013141598.tif 000002
【特許請求の範囲】
【請求項１】
２枚重ねにした帯状の斜形素材に仕切り用の縫い目を入れポケット集合体とし、好みによってポケットの数を増減できる。
１〜２と２〜３の中間に手提げ紐Ｆを設け、▲２▼から▲１▼▲３▼を袋の底部とする為に縫合する。斜形の最細部Ｅから折り畳んだポケット部をＡ・Ｂに収納する。
仕切り用の縫い目１▲１▼・３▲３▼は最細部Ｅから折り畳んだポケット部を収納する入り口とし着脱部品を取り付け、手提げ袋に仕上げる。
【発明の詳細な説明】
【発明の詳細な説明】
【技術分野】
【０００１】本発明は、２枚重ねにした帯状の斜形ポケット集合体を折り畳む事で手提げ袋の形態となる。
【背景技術】
【０００２】従来の手提げ袋としては単にまち付きでポケットが１つ２つ縫い込まれた物が主であり、多種の小物を見やすく即取り出す事が出来なかった。又、幅広用紙類を折ったり、丸め過ぎて広げた時に折りしわ等が付く不都合があった。
【発明が解決しようとする課題】
【０００３】従来の手提げ袋は、袋内外壁に固定されたポケットに不足した際、袋内が混在し、別の整理ケースを使用した場合に重量感があった。
又、幅広用紙類は丸めたり折ったりすると広げた時は折りしわが出来、紙の扱いが難しかった。本発明は、このような収納ポケットの便利な使い方、幅広用類のしわ防止を解決する事を課題とする。
【課題を解決するための手段】
【０００４】この課題を解決するための請求項１の発明は、表裏２枚重ねの帯状で斜形素材に好みに応じ縫い目を入れポケット部の増減ができる。１〜２と２〜３の中間に手提げ紐Ｆを付け、袋の底部とする為に▲２▼から▲１▼▲３▼を縫合する。最細部Ｅから畳んだポケット部はＡ・Ｂ内に収納する。収納した最細部ＥはＡ・Ｂ内から飛び出さない為に、仕切りの縫い目１▲１▼・３▲３▼に着脱出来る部品を取り付けた。
【発明を実施するための形態】
【０００５】図１は全体の展開図であり、図２は▲１▼〜▲６▼を軸としてＡａ〜Ｅｅを重ね合わせた正面図である。Ａ・Ｂは同サイズのポケット部で有り、手提げ紐Ｆを付け袋の外壁を成す。
Ａ・Ｂの袋を形成する為に、Ａ・Ｂを重ね▲２▼から▲１▼▲３▼を縫合し底部を成す。
１▲１▼と３▲３▼は、折り畳んだポケット部Ｃ〜ＥをＡ・Ｂに収納した時に飛び出し防止の為に着脱出来る部品を取り付ける。
仕切り用縫い目として１から▲１▼、２から▲２▼、３から▲３▼、４から▲４▼、５から▲５▼、６から▲６▼を入れる事が出来るが３から▲３▼〜６から▲６▼は好みに応じポケットとしての仕切り縫い目を増減できる。最細部６の部分には折り畳んだ時に袋上部から取り出しやすくする為に取り出し紐７を付ける。
【発明の効果】
【０００６】好みに合わせポケットの増減が出来るので使い勝手に袋内の整理整頓が出来る。帯状で斜形なのでポケット集合体への投入品が即取り出しやすく、袋内部を覗いたり混在した中から目的品を探す事が無い。
幅広用紙類は、折ったり丸め過ぎて広げた時は紙しわが出来る等困らないようにポケット集合体に添わせて収納できる。
【図面の簡単な説明】
【０００７】
【図１】折りたたみ手提げ袋の展開図である。
【図２】折りたたみ手提げ袋の正面図である。
【図３】折りたたみ手提げ袋の背面図である。
【図４】折りたたみ手提げ袋の使用例である。
【符号の説明】
【０００８】Ａ〜Ｅ    表側のポケット集合体      ａ〜ｅ    裏側のポケット集合体
▲１▼〜▲６▼    表裏折り目であり仕切り縫い止まり部
１〜６    仕切り縫い始め部            ６    持ち出し紐
１▲１▼と３▲３▼    着脱部品装着    ▲１▼〜▲３▼    手提げ袋の底の縫合部
Ｆ    手提げ紐
【図１】
2013141598.tif 000003
【図２】
2013141598.tif 000004
【図３】
2013141598.tif 000005
【図４】
2013141598.tif 000006
(57)【要約】      （修正有）【課題】洗濯ハンガーの洗濯バサミの交換が容易で、かつ耐久性があり、劣化しにくい洗濯ハンガーの提供。【解決手段】洗濯ハンガーを耐久性のある金属材料で形成し、洗濯ハンガーの吊り下げ枠２の構造材上面に洗濯ハサミ４の入る孔を設け、吊り下げ枠２の上面から洗濯バサミ４を差し込むと共に、保持ピンで保持することにより、洗濯バサミ４の交換を容易にする。【選択図】図１
2013141592.tif 000002
【特許請求の範囲】
【請求項１】
洗濯ハンガーの吊り下げ枠２を加工し、洗濯ハサミ４を吊り下げ枠２の構造材の内に収め、連結部３を無くした構造
【発明の詳細な説明】
【技術分野】
【０００１】現在、流通している洗濯ハンガーの大部分がプラスチック製であり、洗濯バサミが劣化して使用不能になると、洗濯バサミの交換が困難であり洗濯ハンガーが安価な為洗濯バサミだけでなく洗濯ハンガー全部が交換され無駄が生じます
【背景技術】現在市販されている洗濯ハンガーのほとんどがプラスチック製品でありその耐久性は低く、劣化により一定時間で廃棄し、新しいものを購入しなければならない
【先行技術文献】
【発明の概要】
【発明が解決しようとする課題】１）単純で制作が容易な形状にして製造原価の低減
２）化成品の使用量の削減
３）廃棄物の減量
「問題を解決する手段」【０００２】１）洗濯ハンガーを耐久性のある金属材料にする
２）製造原価を下げプラスチックに勝る価値を持たせる
【発明の効果】
【０００３】洗濯ハンガーの耐久性が高くなれば、廃棄物が減少し省資源と環境保護に役立つ
【図面の簡単な説明】
【０００４】
【図１】洗濯ハンガー全体図（特許願品と現在市販品の併記）
【図２】長手方向・断面図
【図３】短方向・断面図
【発明を実施するための形態】
【０００５】洗濯ハンガー吊り下げ枠２の構造材上面に洗濯ハサミ４の入る孔を設け、吊り下げ枠２の上面から洗濯バサミ４を差し込み、ピンで保持することにより現在必要な針金、鎖らの連結部３を無くした構造として、洗濯バサミ４の交換を容易にする
【符号の説明】
【０００６】１  洗濯バサミ吊り下げ部
２  吊り下げ枠
３  連結部
４  洗濯バサミ
【図１】
2013141592.tif 000003
【図２】
2013141592.tif 000004
【図３】
2013141592.tif 000005
(57)【要約】【課題】幅の広い二重瞼とアイラインを同時に形成して、簡単に目力の強い目元を作れるようにする。【解決手段】裏面の粘着力により瞼に貼り付けられる目元化粧用のシール１において、目の上縁から瞼への貼着により形成される二重瞼の襞までの幅を有するアーチ形状とし、目の上縁に沿った表面の部分に、黒又は黒に近似する濃色のアイライン部２を設け、その上方部分に、中央側が幅広くなる肌色又は透明の擬似肌部３を設けて、二相構成とする。目の上縁に沿って瞼に貼り付けるだけで、擬似肌部３により、不自然な印象を与えることなく、幅の広いくっきりとした二重瞼が形成され、これと同時に、アイライン部２により目を大きく見せるアイラインが形成される。【選択図】図５
2013141558.tif 000002
【特許請求の範囲】
【請求項１】
裏面の粘着力により瞼に貼り付けられる目元化粧用のシール(1)において、目の上縁から瞼への貼着により形成される二重瞼の襞までの幅を有するアーチ形状とし、目の上縁に沿った表面の部分に、黒又は黒に近似する濃色のアイライン部(2)を設け、その上方部分に、中央側が幅広くなる肌色の擬似肌部(3)を設けて、二相構成としたことを特徴とするアイライン付き二重瞼形成シール。
【請求項２】
前記擬似肌部(3)を、肌色に代えて、瞼の色が透過する透明としたことを特徴とする請求項１に記載のアイライン付き二重瞼形成シール。
【発明の詳細な説明】
【技術分野】
【０００１】
この発明は、瞼への貼着により二重瞼及びアイラインを形成する目元化粧用のシールに関するものである。
【背景技術】
【０００２】
従来より、美容上、瞼を二重にしたいという要請があり、これに応えるため、瞼に液状の接着剤を塗布したり、テープ等の薄い帯状シールを貼り付けることにより、擬似的に二重瞼を形成する手段が種々提案されている。
【０００３】
また、目元をはっきりさせるため、目の上縁に沿って黒又は黒に近似する濃色のアイラインを入れることが通常行われており、その手段としては、液状やペンシル型の着色剤を用い、これを筆やペン先で瞼に塗布するのが一般的である。
【０００４】
ところが、瞼に塗布した接着剤や貼り付けたシールの上に着色剤で細い線状のアイラインをきれいに描くことは難しく、非常に手間のかかる作業となる。
【０００５】
その対策として、下記特許文献１においては、図６（ａ）に示すように、裏面に粘着性を有する湾曲した細帯状のテープ５１を、表面から見て、黒又は黒に近似する濃色のアイライン部５２及び透明な周縁部５３を有するものとし、図６（ｂ）に示すように、これを目の上縁に沿って貼り付け、図６（ｃ）に示すように、目を開くと、二重瞼が形成されると同時に、アイラインが形成されるようにしたものが提案されている。
【先行技術文献】
【特許文献】
【０００６】
【特許文献１】特開平１１−３１８５５８号公報
【発明の概要】
【発明が解決しようとする課題】
【０００７】
しかしながら、上記のようなアイライン付き二重瞼形成シールでは、アイラインの幅が二重瞼の幅とほぼ一致することとなるため、くっきりとした幅の広い二重瞼を形成することができず、いわゆる目力の強い目元を作ることができない。
【０００８】
そこで、この発明は、幅の広い二重瞼とアイラインを同時に形成して、簡単に目力の強い目元を作れるようにすることを課題とする。
【課題を解決するための手段】
【０００９】
上記のような課題を解決するため、この発明は、裏面の粘着力により瞼に貼り付けられる目元化粧用のシールにおいて、目の上縁から瞼への貼着により形成される二重瞼の襞までの幅を有するアーチ形状とし、目の上縁に沿った表面の部分に、黒又は黒に近似する濃色のアイライン部を設け、その上方部分に、中央側が幅広くなる肌色又は透明の擬似肌部を設けて、二相構成としたのである。
【発明の効果】
【００１０】
この発明に係るアイライン付き二重瞼形成シールでは、目の上縁に沿って瞼に貼り付けるだけで、アイライン部の上方の擬似肌部により、不自然な印象を与えることなく、幅の広いくっきりとした二重瞼が形成され、これと同時に、アイライン部により目を大きく見せるアイラインが形成されるので、簡単に目力の強い目元を作ることができる。
【図面の簡単な説明】
【００１１】
【図１】この発明の実施形態に係るアイライン付き二重瞼形成シールを台紙に貼り付けた状態を示す平面図
【図２】図１のII−II線に沿った断面図
【図３】同上の台紙上の配置状態を示す平面図
【図４】同上のアイライン付き二重瞼形成シールの変形例を示す平面図
【図５】同上の瞼への貼着前後の状態を示す正面図
【図６】従来のアイライン付き二重瞼形成シールの（ａ）平面図、（ｂ）瞼への貼着工程を示す正面図、（ｃ）瞼への貼着状態を示す正面図
【発明を実施するための形態】
【００１２】
以下、この発明の実施形態を添付図面に基づいて説明する。
【００１３】
図１及び図２に示すように、このアイライン付き二重瞼形成シール１は、アーチ形状とされ、目の上縁から瞼への貼着により形成される二重瞼の襞までの幅を有するものとされている。シール１の材料には、ポリエステル樹脂等の柔軟なものが使用されている。
【００１４】
シール１の表面には、印刷を施して、瞼への貼着時に目の上縁に沿う部分に、黒又は黒に近似する灰色や緑色等の濃色のアイライン部２が設けられ、その上方部分に、中央側が幅広くなる肌色の擬似肌部３が設けられて、異なる二相が形成されている。
【００１５】
なお、擬似肌部３は、メイクを兼用する色合いを付加したものとしてもよく、肌色に代えて、瞼の色が透過する無色又は淡い有色の透明としてもよい。
【００１６】
シール１の裏面には、粘着層４が設けられ、粘着層４には、皮膚に炎症を起こしにくい医療用のアクリル系粘着剤等が用いられている。そして、シール１は、粘着層４の粘着力により、裏面側で台紙５に貼り付けられている。
【００１７】
実際の製品では、図３に示すように、台紙５に左右対で対をなす多数のシール１が配置され、シール１を使用する際には、台紙５から剥がして瞼に貼り付ける。
【００１８】
なお、シール１の形状は、図１に示すように、目尻側が跳ね上がったタイプと、図４に示すように、目尻側が下がったタイプとを、使用者が自分の目の形や形成したい目のイメージに応じて選択できるようにしておくとよい。
【００１９】
上記のようなシール１では、図５に示すように、一重又は奥二重の瞼Ｌに、目Ｅの上縁に沿って貼り付けると、擬似肌部３により、不自然な印象を与えることなく、幅の広いくっきりとした二重瞼が形成され、これと同時に、アイライン部２により目Ｅを大きく見せるアイラインが形成される。
【００２０】
このように、上記シール１を使用すると、瞼に塗布した接着剤や貼り付けたテープの上に着色剤でアイラインを引くような困難な作業を要することなく、簡単に目力の強い目元を作ることができる。
【符号の説明】
【００２１】
１  シール
２  アイライン部
３  擬似肌部
４  粘着層
５  台紙
Ｅ  目
Ｌ  瞼
【図１】
2013141558.tif 000003
【図２】
2013141558.tif 000004
【図３】
2013141558.tif 000005
【図４】
2013141558.tif 000006
【図５】
2013141558.tif 000007
【図６】
2013141558.tif 000008
(57)【要約】      （修正有）【課題】植物を植栽した状態で、相対的に軽量で安定しているプランターを提供する。【解決手段】植栽部分２に一つ又は複数の空隙部３がある形状にした。【選択図】図１
2013141458.tif 000002
【特許請求の範囲】
【請求項１】
植栽部分がドーナツ型、「ロ」の字型、「日」の字型、「田」の字型などのようになっている、植栽部分に一つ又は複数の空隙部があるプランター。
【発明の詳細な説明】
【技術分野】
【０００１】  この発明は、植栽部分に一つ又は複数の空隙部があるプランターに関する。
【背景技術】
【０００２】  通常、プランターは長方形又は円形が一般的であるが、いずれも上面の全体が植栽スペースとなっている。
【発明の概要】
【発明が解決しようとする課題】
【０００３】  従来のプランターでは、植栽した植物が成長すると重心が高くなるとともに風を受けやすくなり、ちょっとした風で転倒することがある。プランターを大きくすると安定性は増すが、使用する培養土が増えるとともに植栽したプランターの重量が増し、高齢者等には扱いにくくなる。
本発明は、このような障害を取り除くためになされたものである。
【課題を解決するための手段】
【０００４】  上記の課題を解決するために、本発明のプランターは、植栽部分に一つ又は複数の空隙部がある形状にした。
【発明の効果】
【０００５】  プランターを使用する状態で設置した場合のすべての接地点を含む凹みのない図形を有効底面とすると、本発明のプランターは、植栽面の広さに比べて有効底面が広く安定している。
また、有効底面に比べて植栽面の広さが狭いことから同じ大きさの有効底面を持つ通常のプランターより使用する培養土が少なくて済み、植栽したプランターの重量も軽くなる。
また、プランターを深くしても扱いが容易なことから根菜類を栽培することも容易である。
【図面の簡単な説明】
【０００６】
【図１】本発明のプランターの実施例の斜視図である。
【図２】本発明のプランターの実施例の平面図である。
【図３】図２におけるＡ−Ａ線断面図である。
【図４】本発明のプランターの他の実施例の斜視図である。
【図５】本発明のプランターの他の実施例の斜視図である。
【発明を実施するための形態】
【０００７】  本発明のプランターの実施の形態は、図１〜図５のとおりである。
なお、プランターの形状は以上に限定するものではない。
また、空隙部は、同じ材質で塞ぐことも可能である。
【符号の説明】
【０００８】  １    本発明のプランター
２    植栽部分
３    空隙部
【図１】
2013141458.tif 000003
【図２】
2013141458.tif 000004
【図３】
2013141458.tif 000005
【図４】
2013141458.tif 000006
【図５】
2013141458.tif 000007
(57)【要約】【課題】脱臭にかかわる箱形及び円筒形状の槽に付着及び蓄積した、悪臭物を手作業により取り除く場合、隅々の付着部分や蓄積した場合の取り除きが困難であった。本発明は悪臭物を取り除く、水洗式沈澱脱臭装置を提供する。【解決手段】槽内に水の噴出口を設け、噴出口から出る水流の目皿に、悪臭物を含んだ風圧をかけ、排気と排水に分離する特徴をもつ水洗式沈澱脱臭装置。【選択図】図１
2013141666.tif 000002
【特許請求の範囲】
【請求項１】
槽内に水を給水する噴出口から出る水流の目皿に、悪臭物を含んだ風圧をかけ排気と排水に分離する水洗式沈澱脱臭装置。
【請求項２】
請求項１に記載の水洗式沈澱脱臭装置を取り入れた生ごみ堆肥化装置。
【発明の詳細な説明】
【技術分野】
【０００１】本発明は、箱形及び円筒形の槽を設け槽内に悪臭物を沈澱させ排気と排水に分離した脱臭に関するものである。
【背景技術】
【０００２】従来、槽内に付着及び蓄積した悪臭物は、歯ぶらし状の工具を用い水で洗い流し手作業にて取り出していた。
【発明の概要】
【発明が解決しようとする課題】
【０００３】槽内に、付着した悪臭物の排除に水を用い、手作業にて取り除いていたが槽内の隅々の取り除きが出来ず、又日数が重なると悪臭物が蓄積して取り除きが困難であった。
本発明は、以上の問題点を解決するためになされたものである。
【課題を解決する為の手段】
【０００４】槽内に、水を注入する先端に長方形型の噴水口を設け、下部に１ミリ〜５ミリ程度の目巾の網の目状の目皿を設け、目皿を流れる水に悪臭物を含んだ風圧をかけ、排気と排水に分離する。、以上の構成よりなる水洗式沈澱脱臭装置。
【発明の効果】
【０００５】従来、槽内に付着及び蓄積した悪臭物を週に１度手作業にて取り除いていた。
本発明により、手作業がいらず隅々の取り除きと、風圧作動をタイマー式電動にする事によって毎日の作業が可能になった。
【図面の簡単な説明】
【０００６】
【図１】本発明の側面図
【図２】本発明の部品斜視図
【発明を実施するための形態】
【０００７】  以下本発明の実施の形態を説明する。
（イ）箱型、又は円筒形の槽１に、排気口２を設け排水口３を設ける。
（ロ）槽１に、給水する噴出口４と目皿５を設け吹込み口６を設ける。
（ハ）槽の内部に水の充満を防止する溜り水排水口７を設ける。
本発明は以上の様な構造である。
本発明は槽１の内部に、噴出口４より水を取り入れ水を含んだ、目皿５に吹込み口６より悪臭物を含んだ風圧をかけ、排気と排水に分離し、排気口２より排気させ排水口３より排水し、溜り水排水口７より水の充満を防ぐ。
【符号の説明】１  槽、  ２  排気管、  ３  排水管、  ４  噴出口、  ５  目皿
６  吹込み管、７  溜り水排水管
【図１】
2013141666.tif 000003
【図２】
2013141666.tif 000004